(57)【要約】【課題】Ｘ線画像に対して術者が容易に関心領域を変更・決定することで、画像処理後のＸ線画像を安定した濃度で表示することができるＸ線画像診断装置を提供する。【解決手段】被検体1の透過Ｘ線を画像データとして得て、その画像データに画像処理を行うＸ線画像診断装置において、ヒストグラム作成手段12と、関心領域設定手段13と、関心領域表示制御手段14とを備える。ヒストグラム作成手段12は、画像データにおける画素値のヒストグラムを作成する。関心領域設定手段13は、画像処理における関心領域を決定するために、得られたヒストグラムから術者が選択した特定画素値幅を設定する。関心領域表示制御手段14は、特定画素値幅に対応するＸ線像の特定領域を他の領域に対して視覚的に異なる表示となるよう表示手段9にＸ線像を表示させる。【選択図】図１
2009189667.tif 000002
【特許請求の範囲】
【請求項１】
被検体にＸ線を照射するＸ線源と、前記Ｘ線源と対向して配置され、前記被検体の透過Ｘ線を検出して画像データとして出力するＸ線検出器と、前記画像データを利用して画像処理を行う画像処理手段と、前記画像データに基づくＸ線像を表示する表示手段とを備えるＸ線画像診断装置であって、
前記画像データにおける画素値のヒストグラムを作成するヒストグラム作成手段と、
前記画像処理における関心領域を決定するために、得られたヒストグラムから特定画素値幅を設定する関心領域設定手段と、 
前記特定画素値幅に対応するＸ線像の特定領域を他の領域に対して視覚的に異なるように表示させる関心領域表示制御手段とを備えることを特徴とするＸ線画像診断装置。
【請求項２】
前記関心領域設定手段は、前記特定画素値幅を変更するための画素値幅表示部を前記表示手段に表示させることを特徴とする請求項１に記載のＸ線画像診断装置。
【請求項３】
前記関心領域表示制御手段は、前記特定画素値幅に対応する前記Ｘ線像の前記特定領域を半透明に表示させることを特徴とする請求項１に記載のＸ線画像診断装置。
【請求項４】
撮影手技に応じて予め決定された基準関心領域の画素値幅を初期画素値幅として設定する初期領域設定手段を備え、
前記関心領域設定手段による特定領域の画素値幅の設定は、前記初期画素値幅を変更することにより行われることを特徴とする請求項１に記載のＸ線画像診断装置。
【発明の詳細な説明】
【技術分野】
【０００１】
本発明は、被検体にＸ線を照射してＸ線画像を得るＸ線画像診断装置に関する。特に、画像処理を行う際の関心領域を確認・変更・決定できるＸ線画像診断装置に関する。
【背景技術】
【０００２】
従来、対象物にＸ線を照射し、該対象物を透過したＸ線の強度分布を検出してＸ線画像を得る装置が、工業用の非破壊検査や医療診断の場で広く利用されている。このような撮影技術として、被検体の透過Ｘ線をイメージングプレートやイメージインテンシファイヤにより電気信号に変換し、この電気信号を画像処理した後に、可視画像としてＣＲＴ等に再現することによりＸ線画像を得る装置が知られている。また、平面検出器（フラットパネルディテクタ）を使用して同様にＸ線画像を撮影する装置も開発されている。これらの装置は、従来の感光性フィルムを用いるＸ線撮影装置よりも非常に広いダイナミックレンジを有しており、Ｘ線の露光量の変動に影響されない安定したＸ線画像を得られるという利点を有している。
【０００３】
これらのＸ線検出器のうち平面検出器では、構造上、Ｘ線が照射されていないときでも、暗電流によって電荷が蓄積用コンデンサにノイズとして蓄積されるため、平面検出器から出力される画像データから、この暗電流量を減算（オフセット補正）する必要がある。また、平面検出器において各画素のゲインが一定でないことから、入力画像に対して均一な出力画像を得るために、各画素単位のゲイン補正が必要となる。さらに、平面検出器では、通常、画素値が出力されない欠陥画素が存在するため、欠陥画素の補正も必要とされる。そして、これらの基本補正によって補正が施された画像データには、各種画像処理が施されることが一般的である。例えば、Ｘ線画像の関心領域の濃度を安定させる表示階調処理、人体の構造や病変の陰影を見やすく出力するダイナミックレンジ圧縮処理や周波数強調処理等の画像処理が行われる。
【０００４】
これらの画像処理では、基本補正された画像データから関心領域を決定し、その関心領域の特徴量を利用して画像データに対する各種の処理を行うことが多い。例えば、表示階調処理の処理条件を決定する技術として、撮影画像領域の累積ヒストグラムの特性値に基づいて基準画像信号範囲（関心領域）を決定し、その範囲が所定の電気的画像信号範囲に対応するように階調処理条件を設定する技術 (例えば特許文献1参照)が提案されている。同技術では、累積ヒストグラムの累積度数が50％となる信号値を中心として、その前後の一定幅を基準画像信号範囲として決定するようにしている。
【０００５】
【特許文献１】特開昭６３−３１６４１号公報
【発明の開示】
【発明が解決しようとする課題】
【０００６】
しかし、上記の従来技術は、関心領域の設定を累積ヒストグラムの累積度数が50％となる信号値を中心として、その前後の一定幅を基準画像信号範囲として決定するという画一的な手法であるため、この決定された関心領域が適切でない場合に、術者が適宜最適な関心領域を設定し直すことができない。
【０００７】
例えば、図１０に示すような腹部正面等の体幹部正面のＸ線画像においては、一般的に、画像の全体が被写体領域３０であり、画素値のヒストグラムに図１１に示すようなピークが明確に現れる。そのため、従来技術でも、診断に必要な部分の画像部分を推定することが比較的に容易である。ところが、撮影部位や被写体のポジショニング等によっては、被写体領域のＸ線照射を制限するＸ線絞りや、被検体を透過せずにＸ線が検出器に到達した直接線領域等の診断上不要とされる部分が画像内に含まれることがある。そのため、Ｘ線絞り領域や直接線領域が含まれる画像に対して、従来技術で関心領域を決定して画像処理を行うと、診断に必要のない領域の影響によって、安定した表示階調処理画像が得られないことがあった。
【０００８】
例えば、腰椎側面等の体幹部側面のＸ線画像においては、術者がＸ線絞りを挿入する場合と、挿入しない場合とがある。図１２にＸ線絞りを挿入して被写体領域３０と絞り領域４０とから構成される画像を示す。図１３にＸ線絞りを挿入せず、ヒストグラム（又は累積ヒストグラム）を用いて予め直接線領域５０を除外して黒く表示し、被写体領域３０と区別した画像を示す。これら画像の累積ヒストグラムを図１４に示す。この累積ヒストグラムでは、実線はＸ線絞りを挿入した場合、破線は挿入しない場合を示す。図１３に示すように、直接線領域５０を除去した画像では、診断に必要な被写体領域３０と直接線領域５０の境界部（皮膚線領域）が高輝度となる。そのため、図１４に示すように、Ｘ線絞りを挿入した場合に比べて、累積ヒストグラムが傾斜の緩やかな直線的になってしまい、従来技術による関心領域の設定では、適切な設定ができないことが多い。
【０００９】
更に、図１５に示すような頸椎などのＸ線画像においては、直接Ｘ線の影響だけでなく、顎や肩の部分等の診断に不要な部位が存在するため、術者がＸ線絞りを挿入しない場合（図１５）と、挿入する場合（図１６）とでは、累積ヒストグラムが図１７（実線はＸ線絞りを挿入した場合、破線は挿入しない場合）のようになる。このような場合も、同様に、Ｘ線絞りを挿入しない場合は、累積ヒストグラムの曲がりが緩やかな直線的になり、従来技術では、適切な関心領域の絞り込みは困難である。そのため、適切な関心領域に基づいて画像処理を行うことができず、処理後の画像を安定した濃度で表示できない場合があった。
【００１０】
本発明は、このような事情に鑑みてなされたもので、その目的の一つは、個々のＸ線画像に対して術者が容易に関心領域を変更・決定することで、画像処理後のＸ線画像を安定した濃度で表示することができるＸ線画像診断装置を提供することにある。
【課題を解決するための手段】
【００１１】
本発明のＸ線画像診断装置は、被検体にＸ線を照射するＸ線源と、前記Ｘ線源と対向して配置され、前記被検体の透過Ｘ線を検出して画像データとして出力するＸ線検出器と、前記画像データを利用して画像処理を行う画像処理手段と、前記画像データに基づくＸ線像を表示する表示手段とを備えるＸ線画像診断装置であって、前記画像データにおける画素値のヒストグラムを作成するヒストグラム作成手段と、前記画像処理における関心領域を決定するために、得られたヒストグラムから特定画素値幅を設定する関心領域設定手段と、前記特定画素値幅に対応するＸ線像の特定領域を他の領域に対して視覚的に異なるように表示させる関心領域表示制御手段とを備えることを特徴とする。
【００１２】
このような構成によれば、術者がＸ線画像を見ながら、関心領域設定手段によって任意に関心領域を変更・設定することができる。そのため、診断に必要な被写体領域で構成される画像の場合はもちろん、絞り領域、直接線領域、診断に不要な被写体領域など、診断に不要な領域が含まれている画像の場合であっても、個々の画像に応じて適切な関心領域を設定することができる。また、関心領域表示制御手段は、特定画素値幅に対応するＸ線像の特定領域を他の領域に対して視覚的に異なる表示とするため、術者がＸ線画像を見ながら関心領域を変更・設定することが容易に行える。そして、この適切な関心領域の画像特徴量に基づいて表示階調処理、ダイナミックレンジ圧縮処理、周波数強調処理等の各種画像処理を行うことができる。従って、撮影対象部位やポジショニング等の撮影条件の如何にかかわらず、常に、安定した濃度のＸ線画像を表示手段に表示することができる。
【００１３】
本発明のＸ線画像診断装置において、前記関心領域設定手段は、前記特定画素値幅を変更するための画素値幅表示部を前記表示手段に表示させることが好ましい。
【００１４】
術者は、表示手段に表示された画像を確認しつつ、画素値幅表示部を操作することにより、関心領域を容易かつ適切に選択することができる。画素値幅表示部には、マウスポインターで操作可能なスクロールバーの他、タッチパネルに表示されて同パネル表面への接触等によって操作可能なスクロールバーや回転つまみなどを利用することができる。
【００１５】
本発明のＸ線画像診断装置において、前記関心領域表示制御手段は、前記特定画素値幅に対応する前記Ｘ線像の前記特定領域を半透明に表示させてもよい。
【００１６】
このようにすれば、全体画像中で見えなくなる部分を発生させることなく、特定領域（現在、選択されている関心領域）を明確に視認して選択することができる。その他、半透明の表示に代えて、特定領域を破線等の特定の線で囲むようにしてもよい。
【００１７】
本発明のＸ線画像診断装置において、撮影手技に応じて予め決定された基準関心領域の画素値幅を初期画素値幅として設定する初期領域設定手段を備え、前記関心領域設定手段による特定領域の画素値幅の設定は、前記初期画素値幅を変更することにより行われるようにしてもよい。
【００１８】
このようにすれば、初期設定として表示される基準関心領域を目安にして、所望の関心領域を設定することができるため、関心領域の設定が容易となる。この基準関心領域の画素値幅は、撮影対象部位、撮影方向ごとに用意する。例えば、腹部正面では、数百例の被検体のＸ線画像を対象として、好ましいと判断される関心領域を手動で選択・設定し、それらの関心領域の平均的な画素値幅が累積ヒストグラムの何％〜何％であるかを求めて、これを初期画素値幅とすればよい。
【発明の効果】
【００１９】
本発明のＸ線画像診断装置は、関心領域設定手段によって適切に設定された関心領域で得られる画像特徴量に基づいて画像処理条件が選択されるので、撮影対象部位や被検体のポジショニング等の撮影条件の如何にかかわらず、常に安定した濃度のＸ線画像を表示することができる。
【発明を実施するための最良の形態】
【００２０】
以下に、本発明の実施の形態に係るＸ線画像診断装置について図面を参照しつつ詳細に説明する。
【００２１】
図１は、Ｘ線画像診断装置の基本的な構成を示すブロック図である。このＸ線画像診断装置は、被検体１のＸ線画像を撮影する装置で、Ｘ線管球２と、Ｘ線絞り３と、グリッド４と、Ｘ線平面検出器５と、平面検出器基本補正手段６と、画像記憶手段７と、画像処理手段８と、表示手段９とを備えている。
【００２２】
Ｘ線管球２は、被検体１に対してＸ線を照射するＸ線源である。Ｘ線絞り３は、このＸ線管球２より照射されるＸ線の被検体１への照射を制限する。グリッド４は、Ｘ線が被検体１を透過する際に生じる散乱線成分を除去する。Ｘ線平面検出器５は、多数の画素を備え、Ｘ線管球２に対向して配置され、被検体１を透過したＸ線（透過Ｘ線）を検出して画像データとして出力する。平面検出器基本補正手段６は、このＸ線平面検出器５より出力される画像データの基本補正（暗電流補正・ゲイン補正等）を行う。画像記憶手段７は、この平面検出器基本補正手段６より出力される画像データを記憶する。画像処理手段８は、この画像記憶手段７に記憶されている画像データに対して、表示階調処理、ダイナミックレンジ圧縮処理、周波数強調処理などの画像処理を行う。表示手段９は、基本補正された画像データや画像処理された画像データを表示する。
【００２３】
さらに、この装置は、Ｘ線絞り算出手段１０と、直接Ｘ線算出手段１１と、ヒストグラム作成手段１２と、関心領域設定手段１３と、関心領域表示制御手段１４と、初期領域設定手段１５とを備えている。
【００２４】
Ｘ線絞り算出手段１０は、Ｘ線絞り３の位置情報からＸ線絞り３の位置を検出する。直接Ｘ線算出手段１１は、Ｘ線平面検出器５の直接線領域を算出する。ヒストグラム作成手段１２は、直接Ｘ線算出手段１１とＸ線絞り算出手段１０の算出結果から画像における絞り領域と直接線領域を除去して被写体領域を算出し、その被写体領域の累積ヒストグラムを作成する。絞り領域と直接線領域の除去を行う具体的な処理手順は、公知の技術が利用できる。関心領域設定手段１３は、前記累積ヒストグラムを用い、術者が選択した特定画素値幅を変更・設定する。より具体的には、後述するように、表示手段の画面上に、画素値のヒストグラムや画素値幅の変更を行うためのスクロールバーを表示させる。関心領域表示制御手段１４は、特定画素値幅に対応するＸ線像の特定領域（現在選択されている関心領域）を他の領域に対して視覚的に異なる表示となるよう表示手段にＸ線像を表示させる。ここでは、特定領域を半透明とし、特定領域以外を通常のＸ線画像として表示させる。初期領域設定手段１５は、撮影手技に応じて予め決定された基準関心領域の画素値幅を初期画素値幅として記憶手段に記憶しておき、アナトミカルプログラムから選択された手技に応じて、基準関心領域の画素値幅を記憶手段から読み出す。そして、この記憶手段から読み出した画素値幅を、関心領域設定手段での基準関心領域の初期画素値幅とする。
【００２５】
このようなＸ線画像診断装置におけるＸ線撮影の開始からＸ線画像の表示に至る基本的な処理過程について、図２のフローチャートに基づいて説明する。まず、Ｘ線撮影が行われる（Ｓ１）。すると、Ｘ線平面検出器５によって透過Ｘ線が検出されて検出データに変換出力される。次に、その検出データに、平面検出器基本補正手段６よって基本補正が施された後（Ｓ２）、画像記憶手段７に画像データとして転送される。次いで、Ｘ線絞り３の位置情報に基づいて、Ｘ線絞り算出手段１０によって、Ｘ線絞り３の位置が検出され（Ｓ３）、直接Ｘ線算出手段１１によって、Ｘ線平面検出器５の直接線領域が算出される（Ｓ４）。Ｘ線絞り算出手段１０は、直線検出（ハフ変換）やパターンマッチング等の画像処理を行い、或いは、Ｘ線絞り３の位置をＸ線管球２の側から取得する。また、直接Ｘ線算出手段１１は、被検体１に対するＸ線撮影条件（管電圧、管電流、撮影時間、撮影距離、グリッド、付加フィルタ等）から、直接Ｘ線の画素値を推定することにより、直接線領域を算出する。そして、ヒストグラム作成手段１２によって、Ｘ線絞り算出手段１０と直接Ｘ線算出手段１１の算出結果を用いて被写体領域が算出され、この被写体領域の累積ヒストグラムが作成される（Ｓ５）。
【００２６】
次いで、ヒストグラム作成手段１２によって作成された累積ヒストグラムを用いて、術者により、表示手段９において、関心領域設定手段１３を操作して関心領域が設定される（Ｓ６）。設定された関心領域から得られる画像特徴量に基づいて、表示階調処理、ダイナミックレンジ圧縮処理、周波数強調処理等々の画像処理条件が選択され、その画像処理条件に基づいて、画像記憶手段７から読み出された画像データに対して画像処理手段８によって画像処理が施される（Ｓ７）。そして、処理後のＸ線画像が表示手段９に表示される（Ｓ８）。
【００２７】
次に、関心領域設定手段１３による関心領域の設定について、図３のフローチャート及び図４〜図９を参照しつつ詳細に説明する。図３のフローチャートのＳ１１、Ｓ１７、Ｓ１８は、図２のフローチャートのＳ１、Ｓ７、Ｓ８、と同一過程である。
【００２８】
Ｘ線管球２から被検体１に対してＸ線を照射することによりＸ線撮影（Ｓ１１）をした後、まず、図４に示すように、関心領域表示制御手段１４からの制御指令により、表示手段９に、Ｘ線絞り算出手段１０と直接Ｘ線算出手段１１を用いて算出された被写体領域の画像（全体画像）を表示する（Ｓ１２）。この画像は、対数変換された被写体領域の全てを表す全体画像である。また、図４〜図７に示すように、表示手段９には、「初期範囲」、「確定」、「戻る」の各ボタン２０、２１、２２、「スクロールバー」Ｓ、被写体領域の「ヒストグラム」Ｈが表示される。この「スクロールバー」Ｓは、低濃度（左）側から高濃度（右）側へ伸びる水平バーと、マウスポインターにより水平バー上をスライドできる最小濃度帯域ノブＳＬと最大濃度帯域ノブＳＨを備える（図８）。各ノブＳＬ、ＳＨをスライドすることで、最小濃度帯域と最大濃度帯域を変更でき、両帯域の範囲内が現在選択している関心領域の画素値幅となる。また、「スクロールバー」Ｓと「ヒストグラム」Ｈは、「スクロールバー」Ｓの濃度が「ヒストグラム」Ｈの横軸、つまり画素値と対応するよう、縦に並んで表示される。
【００２９】
次に、「初期範囲」ボタン２０を押下げ操作することによって、初期領域設定手段１５を介した関心領域表示制御手段１４からの制御指令により、図５に示すように、初期画素値幅に対応するＸ線像の特定領域を基準関心領域として表示手段９に半透明に表示する（Ｓ１３）。画像の一部を半透明にするには、基準関心領域の画素値を全体的に高くする等すればよい。ここでは、説明の便宜上、半透明領域を破線で囲んで表示しているが、このような破線等の線を用いて実際に関心領域を囲むように表示してもよい。基準関心領域を半透明で表示すれば、画像が見えなくなる部分を発生させないようにして関心領域を明確に視認することができる。
【００３０】
この基準関心領域が画像処理を行う際の関心領域として不適切であると術者が判断すれば、「スクロールバー」Ｓを用いて関心領域を基準関心領域から任意に変更することができる。
【００３１】
例えば、初期画素値幅を低濃度側にシフトさせる場合には、例えば図６に示すように、最小濃度帯域ノブＳＬ及び最大濃度帯域ノブＳＨを左へ、つまり、低濃度側にシフトさせる（Ｓ１４）。このシフトにより、シフト後の両ノブＳＬ、ＳＨの間で規定される画素値幅が新たな画素値幅となり、関心領域表示制御手段１４からの制御指令により、その新たな画素値幅に対応する特定領域が新たな関心領域として表示手段９に半透明に表示される（図６）。
【００３２】
逆に、初期画素値幅を高濃度側へシフトさせる場合には、例えば図７に示すように、最小濃度帯域ノブＳＬ及び最大濃度帯域ノブＳＨを右へ、つまり、高濃度側にシフトさせる（Ｓ１４）。このシフトにより、シフト後の両ノブＳＬ、ＳＨの間で規定される画素値幅が新たな画素値幅となり、その新たな画素値幅に対応する特定領域が新たな関心領域として表示手段９に半透明に表示される（図７）。
【００３３】
そして、術者等が、表示手段９の画面上で画像を確認して、設定されている関心領域が適切であると判断したら、「確定」ボタン２１を押し下げる。「確定」ボタン２１が押し下げられると、関心領域が確定し（Ｓ１５）、画像処理条件が確定する（Ｓ１６）。この確定された画像処理条件に基づいて、画像記憶手段７から読み出した画像データに、画像処理手段８によって画像処理が施される（Ｓ１７）。そして、画像処理されたＸ線画像が、表示手段９に表示される（Ｓ１８）。
【００３４】
一方、「確定」ボタンを押した後、やはり再度関心領域の設定を見直したい場合は、「戻る」ボタン２２を押し下げる。これにより、画像処理条件の確定が一旦キャンセルされ、再度上述した各ノブＳＬ、ＳＨの操作により、関心領域の再設定を行えばよい。
【００３５】
上記の本発明装置によれば、術者が画面のＸ線画像を確認しながら画像処理の基準となる関心領域を画像ごとに変更することができるため、適切な関心領域で得られる画像特徴量に基づいて画像処理を行うことができる。そのため、撮影対象部位や被検体のポジショニング等の撮影条件の如何にかかわらず、常に安定した濃度のＸ線画像を得ることができる。
【００３６】
また、図８等に示すように、スクロールバーＳの近傍位置にヒストグラムＨを表示させることによって、現在表示している画素値幅をヒストグラムによって確認することができるため、操作性が向上する。その場合、スクロールバーＳによって操作された画素値幅をリアルタイムでヒストグラムＨに表示させるようにすれば、より一層操作性が向上する。
【００３７】
なお、初期画素値幅については、例えば次のように決定すればよい。腹部正面の部位では、数百例の被検体のＸ線画像を対象として、好ましいと判断される関心領域を、図９に示すように、画面上で手動で選択・設定する。ここでは、選択した関心領域を破線で囲んで示している。そして、それら複数例における関心領域の平均的な画素値幅が累積ヒストグラムの何％〜何％であるかを求めて、これを初期領域設定手段１５により初期画素値幅として設定すればよい。このような初期設定は、メーカー側で行っておけばよい。
【００３８】
また、本発明は、上記実施の形態に限定されることなく、発明の要旨を逸脱しない限りにおいて、適宜、必要に応じて改良、変更等は自由である。例えば、本実施の形態では、関心領域の設定操作に関し、濃度帯域をシフトさせるために、図８に示すようなスクロールバーを用いているが、その他、トラックバーやボタン等で濃度帯域をシフトさせてもよい。
【００３９】
さらに、上記の実施の形態では、画素値幅の変更のためにヒストグラム作成手段により累積ヒストグラムを作成したが、通常のヒストグラムに基づいて画素値幅の変更を行っても良い。
【００４０】
その他、被検体を透過したＸ線の検出器は、平面検出器の代わりに、イメージインテンシファイヤとカメラとを組み合わせたものや、イメージングプレートとすることもできる。
【産業上の利用可能性】
【００４１】
本発明のＸ線画像診断装置は、撮影対象部位やポジショニング等の撮影条件の如何にかかわらず、常に安定した濃度のＸ線画像を表示できるので、医療用として好適に適用することができる。
【図面の簡単な説明】
【００４２】
【図１】本発明の実施の形態に係るＸ線画像診断装置の基本的な構成を示すブロック図である。
【図２】同フローチャートの一例である。
【図３】同別のフローチャートの一例である。
【図４】同表示手段の一例を示す説明図である。
【図５】同表示手段の一例を示す説明図である。
【図６】同表示手段の一例を示す説明図である。
【図７】同表示手段の一例を示す説明図である。
【図８】同スクロールバーの一例を示す説明図である。
【図９】同関心領域の手動設定の説明図である。
【図１０】従来の画像処理における問題点を説明するための説明図である。
【図１１】同他の説明図である。
【図１２】同他の説明図である。
【図１３】同他の説明図である。
【図１４】同他の説明図である。
【図１５】同他の説明図である。
【図１６】同他の説明図である。
【図１７】同他の説明図である。
【符号の説明】
【００４３】
１  被検体  ２  Ｘ線管球  ３  Ｘ線絞り  ４  グリッド
５  Ｘ線平面検出器  ６  平面検出器基本補正手段  ７  画像記憶手段
８  画像処理手段  ９  表示手段  １０  Ｘ線絞り算出手段
１１  直接Ｘ線算出手段  １２  ヒストグラム作成手段
１３  関心領域設定手段  １４  関心領域表示制御手段
１５  初期領域設定手段  Ｈ  ヒストグラム
Ｓ  スクロールバー  ＳＬ  最小濃度帯域ノブ  ＳＨ  最大濃度帯域ノブ
２０  初期範囲ボタン  ２１  確定ボタン  ２２  戻るボタン
３０  被写体領域  ４０  絞り領域  ５０  直接線領域
【図１】
2009189667.tif 000003
【図２】
2009189667.tif 000004
【図３】
2009189667.tif 000005
【図８】
2009189667.tif 000006
【図１１】
2009189667.tif 000007
【図１４】
2009189667.tif 000008
【図１７】
2009189667.tif 000009
【図４】
2009189667.tif 000010
【図５】
2009189667.tif 000011
【図６】
2009189667.tif 000012
【図７】
2009189667.tif 000013
【図９】
2009189667.tif 000014
【図１０】
2009189667.tif 000015
【図１２】
2009189667.tif 000016
【図１３】
2009189667.tif 000017
【図１５】
2009189667.tif 000018
【図１６】
2009189667.tif 000019